(57)【要約】【課題】表示用走査方式を変換する信号処理装置及び方法を提供する。【解決手段】本発明の信号処理装置１は、プログレッシブ方式の平面映像表示装置に立体映像表示を提供するために、フィールドスイッチング方式の立体映像信号を処理する装置であって、フィールドスイッチング方式の１フィールドごとに繰り返される右眼用及び左眼用の立体映像信号を入力して、或るフィールドの立体映像信号について、該フィールドの立体映像信号の走査線間に一定の信号値の擬似信号を挿入し、プログレッシブ方式の映像信号を生成するように制御する信号変換手段３を有する。【選択図】図５
2010087720.tif 000002
【特許請求の範囲】
【請求項１】
プログレッシブ方式の平面映像表示装置に立体映像表示を提供するために、フィールドスイッチング方式の立体映像信号を処理する信号処理装置であって、
フィールドスイッチング方式の１フィールドごとに繰り返される右眼用及び左眼用の立体映像信号を入力して、或るフィールドの立体映像信号について、該フィールドの立体映像信号の走査線間に一定の信号値の擬似信号を挿入し、プログレッシブ方式の映像信号を生成するように制御する信号変換手段を有することを特徴とする信号処理装置。
【請求項２】
前記擬似信号は、予め定められたゼロレベルを除く一定の信号値を有することを特徴とする、請求項１に記載の信号処理装置。
【請求項３】
前記信号変換手段は、
或るフィールドの立体映像信号について、該フィールドの立体映像信号の当該走査線の少なくとも一部の映像信号を抽出する一部信号抽出手段と、
前記少なくとも一部の映像信号を前記一定の信号値の擬似信号として発生する擬似信号発生手段とを有することを特徴とする、請求項１に記載の信号処理装置。
【請求項４】
前記少なくとも一部の映像信号は、或るフィールドの立体映像信号用走査線の先頭の映像信号の信号値からなることを特徴とする、請求項３に記載の信号処理装置。
【請求項５】
前記少なくとも一部の映像信号は、或るフィールドの立体映像信号用走査線の先頭の映像信号から所定時間分の映像信号までの平均値からなることを特徴とする、請求項３に記載の信号処理装置。
【請求項６】
前記少なくとも一部の映像信号は、或るフィールドの立体映像信号用走査線の全体の平均値からなることを特徴とする、請求項３に記載の信号処理装置。
【請求項７】
前記信号変換手段は、
当該入力するフィールドスイッチング方式の立体映像信号における或るフィールドについて、該立体映像信号の立体映像信号用走査線の信号のうち１走査線分を記憶する記憶手段と、
前記記憶した１走査線分の映像信号から少なくとも一部の映像信号を抽出する一部信号抽出手段と、
前記少なくとも一部の映像信号に基づく信号値を前記一定の信号値の擬似信号として発生する擬似信号発生手段とを有することを特徴とする、請求項１に記載の信号処理装置。
【請求項８】
前記信号変換手段は、
当該入力するフィールドスイッチング方式の立体映像信号における或るフィールドについて、該立体映像信号の立体映像信号用走査線の信号のうち２走査線分を記憶する記憶手段と、
前記記憶した２走査線分の各映像信号から少なくとも一部の映像信号を抽出する一部信号抽出手段と、
前記少なくとも一部の映像信号に基づく信号値を前記一定の信号値の擬似信号として発生する擬似信号発生手段とを有することを特徴とする、請求項１に記載の信号処理装置。
【請求項９】
前記信号変換手段は、
当該入力するフィールドスイッチング方式の立体映像信号における或るフィールドについて、該立体映像信号の１フィールド分を記憶する記憶手段と、
前記記憶した１フィールド分の映像信号に基づく平均値を前記一定の信号値の擬似信号として発生する擬似信号発生手段とを有することを特徴とする、請求項１に記載の信号処理装置。
【請求項１０】
請求項１に記載の信号処理装置によって、プログレッシブ方式の平面映像表示装置に立体映像表示を提供するために、フィールドスイッチング方式の立体映像信号を処理する信号処理方法であって、
フィールドスイッチング方式の１フィールドごとに繰り返される右眼用及び左眼用の立体映像信号を入力して、或るフィールドの立体映像信号を表示するステップと、該フィールドの立体映像信号の走査線間に一定の信号値の擬似信号を挿入するステップとを含むことを特徴とする信号処理方法。
【発明の詳細な説明】
【技術分野】
【０００１】
本発明は、表示用走査方式を変換する信号処理装置及び方法に関し、特に、フィールドスイッチング方式の立体映像をプログレッシブ方式の平面映像表示装置上に鮮明に表示する信号処理装置及び方法に関する。
【背景技術】
【０００２】
近年においては、３Ｄシアターシステムやプロジェクタに限らず、一般家庭においても汎用の表示装置（家庭用ディスプレイ装置）を用いて立体映像観賞のニーズが高まりつつある。
【０００３】
特に、フィールドスイッチング方式（フィールド切り換え方式とも称される）の立体映像表示装置は、これまで飛び越し走査方式（以下、インターレース方式とも称する）である真空管式の表示装置（以下、ＣＲＴ表示装置と称する）の残像効果を活用し、より簡便な立体映像表示装置として広く採用されてきた。近年では、ＣＲＴ表示装置は、プラズマ表示装置や液晶表示装置など、いわゆる平面映像表示装置に取って代わるようになってきている。また、このＣＲＴ表示装置を用いた立体表示は、ちらつきなどが生じやすいという短所もあり、適用頻度として多くない。
【０００４】
さらに、平面映像表示装置の表示面に走査線又は走査線に相当する水平に配列された一連の画素の組（即ち、走査線）ごとに異なる左眼用及び右眼用の偏光フィルタを塗布又は貼り付け、この平面映像表示装置の走査線の偏光に合わせて、左右に異なる偏光特性を持たせた偏光メガネを通して右眼と左眼に視差のある映像を見せるように構成した立体視システムも知られている。このような立体映像用の平面映像表示装置の出現と、この平面映像表示装置に特有のプログレッシブ方式の表示制御により、その鮮明さから、さらにＣＲＴ表示装置を用いた立体表示の適用頻度が減少している。
【０００５】
しかし、ＣＲＴ表示装置に用いられてきたフィールドスイッチング方式の立体映像は、制作が簡便なことと長く使用されてきたため、映像コンテンツが多く存在する。一方で、順次走査方式（以下、プログレッシブ方式と称する）による偏光メガネを用いた平面映像表示装置での視聴が期待されていた。
【０００６】
一方、偏光メガネ方式による立体映像表示にあたり、インターレース方式で撮影した左眼用と右眼用の映像を、インターレース方式の信号伝送手段もしくは記録装置を用いて偶数及び奇数のフィールドに対応する右眼用及び左眼用の映像として、交互に挿入して、フレーム映像を切り換える平面映像表示装置を構成し、該平面映像表示装置の走査線の偏光に合わせて、左右に異なる偏光特性を持たせた偏光メガネを通して右眼と左眼に視差のある映像を提供するようにしたプログレッシブ方式の平面映像表示装置が知られている（例えば、特許文献１参照）。
【０００７】
【特許文献１】特開２００６−２５４０７４号公報
【発明の開示】
【発明が解決しようとする課題】
【０００８】
しかしながら、特許文献１の立体映像表示技法では、左眼用と右眼用の１フレームの映像を偶数フィールド及び奇数フィールドのフレームで交互に表示するため、プログレッシブ方式の平面映像表示装置に適用すると、左眼用映像を偶数フィールドのフレーム映像について、奇数のフィールドの領域で映像信号がない状況が発生し、同様に、右眼用映像を奇数フィールドのフレーム映像について、偶数のフィールドの領域で映像信号がない状況が発生する。この結果、視聴者の目にはちらつきとして違和感のある立体映像をもたらすか、又は視聴者に視聴疲労をもたらす。
【０００９】
例えば、従来技術に基づいて構成される立体映像表示システムのブロック図を図１に示す。このような従来技術に基づく立体映像表示システム１０１は、フィールドスイッチング切替装置１０５と、立体映像表示装置として機能するシャッタメガネ駆動回路１０６と、インターレース方式のＣＲＴディスプレイ１０７とを備える。フィールドスイッチング切替装置１０５は、偶数及び奇数のフィールドに対応する右眼用及び左眼用のフィールド信号からなるインターリーブ信号（このような信号を、特に、フィールドスイッチング切替信号と称する）を発生する信号発生手段として機能し、既知の立体カメラ装置１０２又は再生装置１０３のインターリーブ信号を選択可能なスイッチ１０４を備えることができる。
【００１０】
立体カメラ装置１０２は、右眼用フィールド信号を発生するカメラ１２１Ｒ及び左眼用フィールド信号を発生するカメラ１２１Ｌと、カメラ１２１Ｒ，１２１Ｌからのフィールド信号を交互に切り替えて、インターリーブ信号として知られるフィールドスイッチング切替信号を送出するフィールドスイッチングデバイス１２２とを備える。再生装置１０３は、このようなフィールドスイッチングデバイス１２２から（又は外部から）、フィールドスイッチング切替信号を入力して記録する録画デバイス１１３を備え、この録画デバイス１１３からフィールドスイッチング切替信号を再生して出力することもできる。
【００１１】
図１に示す従来の立体映像表示システム１０１は、右眼用及び左眼用のフィールド信号からなるフィールドスイッチング切替信号をＣＲＴディスプレイ１０７に入力し、ＣＲＴディスプレイ１０７は、右眼用及び左眼用のＲＧＢのデジタル映像信号をインターリーブ方式に従って表示する。一方で、シャッタメガネ駆動回路１０６は、ＣＲＴディスプレイ１０７の映像と同期させるために、フィールドスイッチング切替信号を入力して、シャッタメガネ１０８の右眼用及び左眼用の透過及び遮蔽の切り替えを制御する制御信号をシャッタメガネ１０８に送出する。
【００１２】
このような従来技術に基づいて構成される立体映像表示システム１０１は、例えば図２に示すように、左眼用のフレーム画像１０１（奇数フィールドのフレーム画像１０１Ｏ及び偶数フィールドのフレーム画像１０１Ｅ）及び右眼用のフレーム画像１０２（奇数フィールドのフレーム画像１０２Ｏ及び偶数フィールドのフレーム画像１０２Ｅ）に対して、例えばフレーム画像１０１Ｏ及びフレーム画像１０２Ｅを廃棄するなどして、左眼用の偶数フィールドのフレーム画像１０１Ｅ及び右眼用の奇数フィールドのフレーム画像１０２Ｏを交互に切り換えて右眼と左眼で視差のある映像をＣＲＴディスプレイ１０７で表示する。
【００１３】
ＣＲＴディスプレイ１０７に入力されるフィールドスイッチング切替信号は、例えば、図３（ａ）に示すように、１フレームの映像を左眼用の奇数フィールド及び右眼用の偶数フィールドで交互に繰り返すインターレース方式の信号であり、通常、Ｎを１以上の自然数として、１フレーム期間にそれぞれ左眼用の奇数フィールド（例えば、立体映像信号用走査線ＬＯ１〜ＬＯＮ）及び偶数フィールド（例えば、立体映像信号用走査線ＲＥ１〜ＲＥＮ）からなる。ＣＲＴディスプレイ１０７にて、このようなフィールドスイッチング切替信号を実現する際には、シャッタメガネ１０８の右眼用及び左眼用の透過及び遮蔽の切り替えによって、平面映像表示装置の視聴者に投射される映像信号は、図３（ｂ）に示すように、奇数フィールド（例えば、立体映像信号用走査線ＬＯ１〜ＬＯＮ）及び黒信号と、黒信号及び偶数フィールド（例えば、立体映像信号用走査線ＲＥ１〜ＲＥＮ）との繰り返しとなる（図４参照）。
【００１４】
そこで、ＣＲＴディスプレイ１０７の代わりに、液晶ディスプレイなどの平面映像表示装置にて、このようなフィールドスイッチング切替信号を用いて立体映像表示を実現する際にプログレッシブ方式に単に変換すると、奇数フィールド（又は偶数フィールド）の映像信号の走査線（例えば、立体映像信号用走査線ＬＯ１〜ＬＯＮ）の間は無信号として表示することになる。
【００１５】
従って、このような従来技術に基づいて構成される立体映像表示システム１０１を平面映像表示装置に適用しても、例えば偶数フィールドのフレーム映像について、映像信号の走査線の間は無信号の走査線が発生し（映像信号がないフィールド部分は、黒信号となる）、視聴者の目には、ちらつきとして違和感のある立体映像になるか、又は視聴者に視聴疲労をもたらす。
【００１６】
本発明の目的は、プログレッシブ方式の平面映像表示装置を用いながら、視聴者の目にはちらつきとして違和感を低減させた立体映像であって視聴者の視聴疲労を低減させるための、表示用走査方式を変換する信号処理装置及び方法を提供することにある。
【課題を解決するための手段】
【００１７】
本発明の第１の態様の信号処理装置は、プログレッシブ方式の平面映像表示装置に立体映像表示を提供するために、フィールドスイッチング方式の立体映像信号を処理する信号処理装置であって、フィールドスイッチング方式の１フィールドごとに繰り返される右眼用及び左眼用の立体映像信号を入力して、或るフィールドの立体映像信号について、該フィールドの立体映像信号の走査線間に一定の信号値の擬似信号を挿入し、プログレッシブ方式の映像信号を生成するように制御する信号変換手段を有することを特徴とする。
【００１８】
また、本発明の第１の態様の信号処理装置において、前記擬似信号は、予め定められたゼロレベルを除く一定の信号値を有することを特徴とする。
【００１９】
また、本発明の第１の態様の信号処理装置において、前記信号変換手段は、或るフィールドの立体映像信号について、該フィールドの立体映像信号の当該走査線の少なくとも一部の映像信号を抽出する一部信号抽出手段と、前記少なくとも一部の映像信号を前記一定の信号値の擬似信号として発生する擬似信号発生手段とを有することを特徴とする。
【００２０】
また、本発明の第１の態様の信号処理装置において、前記少なくとも一部の映像信号は、或るフィールドの立体映像信号用走査線の先頭の映像信号の信号値からなることを特徴とする。
【００２１】
また、本発明の第１の態様の信号処理装置において、前記少なくとも一部の映像信号は、或るフィールドの立体映像信号用走査線の先頭の映像信号から所定時間分の映像信号までの平均値からなることを特徴とする。
【００２２】
また、本発明の第１の態様の信号処理装置において、前記少なくとも一部の映像信号は、或るフィールドの立体映像信号用走査線の全体の平均値からなることを特徴とする。
【００２３】
また、本発明の第２の態様の信号処理装置において、前記信号変換手段は、当該入力するフィールドスイッチング方式の立体映像信号における或るフィールドについて、該立体映像信号の立体映像信号用走査線の信号のうち１走査線分を記憶する記憶手段と、前記記憶した１走査線分の映像信号から少なくとも一部の映像信号を抽出する一部信号抽出手段と、前記少なくとも一部の映像信号に基づく信号値を前記一定の信号値の擬似信号として発生する擬似信号発生手段とを有することを特徴とする。
【００２４】
また、本発明の第３の態様の信号処理装置において、前記信号変換手段は、当該入力するフィールドスイッチング方式の立体映像信号における或るフィールドについて、該立体映像信号の立体映像信号用走査線の信号のうち２走査線分を記憶する記憶手段と、前記記憶した２走査線分の各映像信号から少なくとも一部の映像信号を抽出する一部信号抽出手段と、前記少なくとも一部の映像信号に基づく信号値を前記一定の信号値の擬似信号として発生する擬似信号発生手段とを有することを特徴とする。
【００２５】
また、本発明の第４の態様の信号処理装置において、前記信号変換手段は、当該入力するフィールドスイッチング方式の立体映像信号における或るフィールドについて、該立体映像信号の１フィールド分を記憶する記憶手段と、前記記憶した１フィールド分の映像信号に基づく平均値を前記一定の信号値の擬似信号として発生する擬似信号発生手段とを有することを特徴とする。
【００２６】
また、本発明の信号処理方法は、本発明の第１の態様の信号処理装置によって、プログレッシブ方式の平面映像表示装置に立体映像表示を提供するために、フィールドスイッチング方式の立体映像信号を処理する信号処理方法であって、フィールドスイッチング方式の１フィールドごとに繰り返される右眼用及び左眼用の立体映像信号を入力して、或るフィールドの立体映像信号を表示するステップと、該フィールドの立体映像信号の走査線間に一定の信号値の擬似信号を挿入するステップとを含むことを特徴とする。
【発明の効果】
【００２７】
本発明によれば、フィールドスイッチング方式の立体映像信号からちらつきの少ない鮮明な立体映像をプログレッシブ方式の平面映像表示装置に表示することができる。
【発明を実施するための最良の形態】
【００２８】
まず、本発明による実施例１の信号処理装置を説明する。
【００２９】
（実施例１）
本発明による実施例１の信号処理装置１は、前述したフィールドスイッチング方式のフィールドスイッチング切替信号を入力し、信号処理を施してプログレッシブ信号を生成し、該プログレッシブ信号を液晶ディスプレイなどのプログレッシブ方式の平面映像表示装置７に供給して右眼と左眼に視差のある立体映像を表示させるための装置である。視聴者は、左右に異なる偏光特性を持たせた外部からの制御不要な偏光メガネを通して、右眼と左眼に視差のある立体映像を視聴可能である。
【００３０】
図５に、本発明による実施例１の信号処理装置１を備える立体映像表示システムのブロック図を示す。実施例１の信号処理装置１は、前述したフィールドスイッチング方式のフィールドスイッチング切替信号を入力して、それぞれ右眼用及び左眼用のフィールド信号を抽出して送出する左眼用フィールド信号処理回路２Ｌ及び右眼用フィールド信号処理回路２Ｒと、左眼用フィールド信号処理回路２Ｌ及び右眼用フィールド信号処理回路２Ｒからの各出力信号を入力して平面映像表示装置７に供給するためのプログレッシブ方式の映像信号ＯＲＬを生成し、平面映像表示装置７に供給する信号変換回路３とを備える。
【００３１】
信号変換回路３は、一定の信号値（例えば、輝度値）の擬似信号を発生する擬似信号発生手段３１と、左眼用フィールド信号処理回路２Ｌ及び右眼用フィールド信号処理回路２Ｒからのフィールドスイッチング切替信号から抽出した１フィールドごとに繰り返される右眼用及び左眼用のフィールド信号ＩＲ，ＩＬをそれぞれ入力して、或るフィールドの立体映像信号について、該フィールドの立体映像信号の走査線（立体映像信号用走査線と称することにする）間に一定の信号値（黒レベルを除く）の擬似信号Ｄを挿入し、プログレッシブ方式の映像信号ＯＲＬを生成するように制御するフィールド選択手段３２とを有する。
【００３２】
実施例１の信号処理装置１は、例えば図６（a）に示すように、従来と同様のフィールドスイッチング切替信号を入力する。即ち、入力するフィールドスイッチング切替信号は、左眼用の奇数フィールド及び右眼用の偶数フィールドで交互に繰り返すインターレース方式の信号であり、代表的に、Ｎを１以上の自然数として、１フレーム期間にそれぞれ左眼用の奇数フィールドの立体映像信号（例えば、立体映像信号用走査線ＬＯ１〜ＬＯＮ）及び偶数フィールドの立体映像信号（例えば、立体映像信号用走査線ＲＥ１〜ＲＥＮ）からなる。更に、実施例１の信号変換回路３は、例えば図６（ｂ）に示すように、１フィールドごとに繰り返される右眼用及び左眼用のフィールド信号ＩＲ，ＩＬのそれぞれにおける或るフィールドの立体映像信号について、該フィールドの立体映像信号の走査線（例えば、立体映像信号用走査線ＬＯ１〜ＬＯＮ又はＲＥ１〜ＲＥＮ）の間の走査線に一定の信号値の擬似信号Ｄを挿入し、プログレッシブ方式の映像信号ＯＲＬを生成するように制御する。
【００３３】
例えば、一定の信号値の擬似信号Ｄは、後述にて詳細に説明するが、予め定められたゼロレベルを除く一定の信号値のグレーの映像信号とするか、立体映像信号用走査線の１走査線前の信号の少なくとも一部を抽出してこれを基に決定した映像信号（例えば、立体映像信号を表示する際の立体映像信号の走査線の先頭の映像信号の信号値か、又は或るフィールドの立体映像信号用走査線の先頭の映像信号から所定時間分の映像信号までの平均値の信号か、又は或るフィールドの立体映像信号用走査線の全体の平均値の信号）とすることができる。或いは又、一定の信号値の擬似信号Ｄは、立体映像信号用走査線の２走査線分の立体映像信号を基に抽出した平均値とすることができる。更に、一定の信号値の擬似信号Ｄは、表示用フィールドの直前の１フィールド分の立体映像信号を基に抽出した平均値とすることができる。ここで云う平均値とは、抽出した少なくとも一部の立体映像信号の全体の平均値、２乗平均値、又は１走査線分の立体映像信号を所定間隔でサンプリングした値の平均値を含むものとする。
【００３４】
従って、前述したように、フィールドスイッチング切替信号に基づく立体映像を従来のＣＲＴディスプレイ１０７によって視聴する視聴者は、図７（ａ）に示すように、フィールド毎に切り換えるために映像信号と黒信号が繰り返された映像を各眼で視聴することになる。一方、実施例１の信号処理装置１を介してプログレッシブ方式の平面映像表示装置７を視聴する視聴者は、図７（ｂ）に示すように、左右に異なる偏光特性を持たせた外部からの制御不要な偏光メガネを通して、擬似信号Ｄが挿入された右眼と左眼に視差のある立体映像を視聴する。
【００３５】
例えば、図８に示すように、実施例１の信号処理装置１は、立体視撮像カメラ２によって送出される左眼用のフレーム画像１０１（奇数フィールドのフレーム画像１０１Ｏ及び偶数フィールドのフレーム画像１０１Ｅ）及び右眼用のフレーム画像１０２（奇数フィールドのフレーム画像１０２Ｏ及び偶数フィールドのフレーム画像１０２Ｅ）に対して、例えばフレーム画像１０１Ｏ及びフレーム画像１０２Ｅを廃棄するなどして、左眼用に一定の信号値の擬似信号１０３ａ及び偶数フィールドのフレーム画像１０１Ｅからなる映像信号１０５と、右眼用に一定の信号値の擬似信号１０４ａ及び奇数フィールドのフレーム画像１０２Ｏからなる映像信号１０６とを交互に切り換えてプログレッシブ方式の平面映像表示装置７に送出する。
【００３６】
実施例１の信号処理装置１によれば、フィールドスイッチング方式の立体映像信号からちらつきの少ない鮮明な立体映像をプログレッシブ方式の平面映像表示装置に表示することができるようになる。
【００３７】
次に、本発明による実施例２の信号処理装置を説明する。
【００３８】
（実施例２）
本発明による実施例２の信号処理装置１は、実施例１と同様の構成要素を有し、同様に機能する。図９に示すように、実施例２の信号処理装置１における信号変換回路３は、黒レベルを除く一定の信号値の擬似信号Ｄを発生するための擬似信号発生回路３１と、各フィールド用の立体映像信号と擬似信号とを走査線（ライン）単位で切り換えて各フィールド用の合成信号を出力するスイッチ３２Ｌ，３２Ｒと、各フィールド用の合成信号をフィールド単位で切り換えて出力するスイッチ３２ＲＬと、擬似信号発生回路３１、及びスイッチ３２Ｌ，３２Ｒ，３２ＲＬの同期タイミングを調整制御するタイミング制御信号を発生するタイミング制御回路３２ＣＬとを備える。実施例２の信号変換回路３は、実施例１の信号変換回路３について、より具体な一例を示すものである。実施例１と同様に、１フィールドごとに繰り返される右眼用及び左眼用のフィールド信号ＩＲ，ＩＬをそれぞれ入力して、或るフィールドの立体映像信号について、該フィールドの立体映像信号の走査線（例えば、立体映像信号用走査線ＬＯ１〜ＬＯＮ又はＲＥ１〜ＲＥＮ）の間の走査線に一定の信号値の擬似信号Ｄを挿入し、プログレッシブ方式の映像信号ＯＲＬを生成する。尚、前述した実施例と同様の構成要素には同一の参照番号を付しており、同様の構成要素の説明は省略する。
【００３９】
図１０に示すように、実施例２の信号処理装置１における擬似信号発生回路３１は、予め定められた信号値のグレーの映像信号を出力する具体的な一例を示す。実施例３の擬似信号発生回路３１は、白映像信号発生回路３１１と、配分回路３１２と、黒映像信号発生回路３１３とを備える。白映像信号発生回路３１１は、映像信号の極大値に対応する白色レベルの白映像信号を発生する回路である。黒映像信号発生回路３１３は、映像信号の極小値に対応する黒色レベルの黒映像信号を発生する回路である。配分回路３１２は、予め定めた配分比率で、白映像信号発生回路３１１及び黒映像信号発生回路３１３からの混成させた混成信号を擬似信号Ｄとして送出する。
【００４０】
実施例２の信号処理装置１によれば、フィールドスイッチング方式の立体映像信号からちらつきの少ない鮮明な立体映像をプログレッシブ方式の平面映像表示装置に表示することができるようになる。
【００４１】
次に、本発明による実施例３の信号処理装置を説明する。
【００４２】
（実施例３）
本発明による実施例３の信号処理装置１は、実施例１と同様の構成要素を有し、同様に機能する。実施例３の信号処理装置１は、擬似信号Ｄとして、１走査線前の信号の一部を基に決定する映像信号とする具体的な一例を示す。図１１に示すように、実施例３の信号処理装置１における信号変換回路３は、黒レベルを除く一定の信号値の擬似信号Ｄを発生するために、１走査線前の信号の一部をサンプルホールドする各フィールド用のサンプルホールド回路３２１，３２２と各フィールド単位でサンプルホールド回路３２１，３２２の出力を選択する擬似信号選択用スイッチ３２ＳＨと、各フィールド用の立体映像信号と擬似信号とを走査線（ライン）単位で切り換えて各フィールド用の合成信号を出力するスイッチ３２Ｌ，３２Ｒと、各フィールド用の合成信号をフィールド単位で切り換えて出力するスイッチ３２ＲＬと、サンプルホールド回路３２１，３２２、及びスイッチ３２ＳＨ，３２Ｌ，３２Ｒ，３２ＲＬの同期タイミングを調整制御するためのタイミング制御信号を発生するタイミング制御回路３２ＣＬとを備える。尚、前述した実施例と同様の構成要素には同一の参照番号を付しており、同様の構成要素の説明は省略する。
【００４３】
実施例３の信号変換回路３は、実施例１の信号変換回路３について、より具体な一例を示すものである。実施例１と同様に、１フィールドごとに繰り返される右眼用及び左眼用のフィールド信号ＩＲ，ＩＬをそれぞれ入力して、或るフィールドの立体映像信号について、該フィールドの立体映像信号の走査線（例えば、ＬＯ１〜ＬＯＮ又はＲＥ１〜ＲＥＮ）の間の走査線に一定の信号値の擬似信号Ｄを挿入し、プログレッシブ方式の映像信号ＯＲＬを生成する。
【００４４】
即ち、信号変換回路３が、或るフィールドの立体映像信号について、該フィールドの立体映像信号の当該走査線の少なくとも一部の映像信号を抽出する一部信号抽出手段と、前記少なくとも一部の映像信号を一定の信号値の擬似信号として発生する擬似信号発生手段とを有するように機能し、各該フィールドの立体映像信号の走査線の間の走査線に、この一定の信号値（黒レベルを除く）の擬似信号Ｄを挿入し、プログレッシブ方式の映像信号ＯＲＬを生成する。
【００４５】
例えば、この擬似信号Ｄとしての少なくとも一部の映像信号は、或るフィールドの立体映像信号用走査線の先頭の映像信号の信号値からなるものとできる。
【００４６】
或いは又、擬似信号Ｄとしての少なくとも一部の映像信号は、或るフィールドの立体映像信号用走査線の先頭の映像信号から所定時間分の映像信号までの平均値からなるものとできる。
【００４７】
或いは又、擬似信号Ｄとしての少なくとも一部の映像信号は、或るフィールドの立体映像信号用走査線の全体をサンプルしてホールドしたものとすることができる。
【００４８】
実施例３の信号処理装置１によれば、フィールドスイッチング方式の立体映像信号からちらつきの少ない鮮明な立体映像をプログレッシブ方式の平面映像表示装置に表示することができるようになる。
【００４９】
次に、本発明による実施例４の信号処理装置を説明する。
【００５０】
（実施例４）
本発明による実施例４の信号処理装置１は、実施例１と同様の構成要素を有し、同様に機能する。実施例４の信号処理装置１は、擬似信号Ｄを、立体映像信号用走査線の１走査線前の信号の１走査線分を考慮した映像信号（平均、２乗平均、各フィールドの最大値の平均など）とするか、１走査線前の信号と１走査線後の信号とを考慮した映像信号（平均、２乗平均、各フィールドの最大値の平均など）とする具体的な一例を示す。
【００５１】
図１２に示すように、実施例４の信号処理装置１における信号変換回路３は、各フィールドの走査線毎の映像信号を格納し１ライン分遅延させることが可能なラインメモリ３５１，３５２と、黒レベルを除く一定の信号値の擬似信号Ｄを発生するために、立体映像信号用走査線の１走査線前の信号又は１走査線後の信号、或いはその双方を考慮した映像信号を平均処理（平均、２乗平均、各フィールドの最大値の平均など）する各フィールド用の平均値取得回路３６１，３６２と、ラインメモリ３５１，３５２からの出力と平均値取得回路３６１，３６２の出力とを走査線（ライン）単位で切り換えて各フィールド用の合成信号を出力するスイッチ３２Ｌ２，３２Ｒ２と、各フィールド用の合成信号をフィールド単位で切り換えて出力するスイッチ３２ＲＬと、ラインメモリ３５１，３５２、平均値取得回路３６１，３６２、及びスイッチ３２Ｌ２，３２Ｒ２，３２ＲＬの同期タイミングを調整制御するためのタイミング制御信号を発生するタイミング制御回路３２ＣＬとを備える。尚、前述した実施例と同様の構成要素には同一の参照番号を付しており、同様の構成要素の説明は省略する。
【００５２】
本発明による実施例４の信号処理装置１は、実施例１と同様の効果を得るが、特に、擬似信号Ｄとして、立体映像信号用走査線の１走査線前の信号の１走査線分の映像信号を用いるだけでなく、例えばラインメモリを複数用意して、一定の信号値の擬似信号Ｄは、立体映像信号用走査線の２走査線分の立体映像信号を基に抽出した平均値とすることができる。この場合、立体映像信号用走査線の１走査線前の信号と１走査線後の信号の各の１走査線分の映像信号とを考慮した映像信号（平均、２乗平均、各フィールドの最大値の平均など）を擬似信号として発生するができる。
【００５３】
即ち、信号変換回路３が、或るフィールドの立体映像信号用走査線の１走査線前の立体映像信号を記憶するラインメモリ３５１，３５２と、１走査線前の立体映像信号の平均処理を施す平均値取得回路３６１，３６２とを有し、平均処理を施した信号を擬似信号として発生させて、各該フィールドの立体映像信号の走査線の間の走査線に一定の信号値（黒レベルを除く）の擬似信号Ｄを挿入し、プログレッシブ方式の映像信号ＯＲＬを生成する。
【００５４】
実施例４の信号処理装置１によれば、フィールドスイッチング方式の立体映像信号からちらつきの少ない鮮明な立体映像を、より効果的にプログレッシブ方式の平面映像表示装置に表示することができるようになる。
【００５５】
次に、本発明による実施例５の信号処理装置を説明する。
【００５６】
（実施例５）
本発明による実施例５の信号処理装置１は、実施例１と同様の構成要素を有し、同様に機能する。実施例５の信号処理装置１は、擬似信号Ｄを、表示用フィールドの直前のフィールドの全体の信号を考慮した信号（平均、２乗平均、各フィールドの最大値の平均など）とする具体的な一例を示す。
【００５７】
図１３に示すように、実施例５の信号処理装置１における信号変換回路３は、各フィールドの映像信号を格納し１フィールド分遅延させることが可能なフィールドメモリ３３１，３３２と、黒レベルを除く一定の信号値の擬似信号Ｄを発生するために、１フィールド分の映像信号を平均処理（平均、２乗平均、各フィールドの最大値の平均など）する各フィールド用の平均値取得回路３４１，３４２と、フィールドメモリ３３１，３３２からの出力と平均値取得回路３４１，３４２の出力とを走査線（ライン）単位で切り換えて各フィールド用の合成信号を出力するスイッチ３２Ｌ，３２Ｒと、各フィールド用の合成信号をフィールド単位で切り換えて出力するスイッチ３２ＲＬと、フィールドメモリ３３１，３３２、平均値取得回路３４１，３４２、及びスイッチ３２Ｌ，３２Ｒ，３２ＲＬの同期タイミングを調整制御するためのタイミング制御信号を発生するタイミング制御回路３２ＣＬとを備える。尚、前述した実施例と同様の構成要素には同一の参照番号を付しており、同様の構成要素の説明は省略する。
【００５８】
本発明による実施例５の信号処理装置１は、実施例１と同様の効果を得るが、特に、擬似信号Ｄとして、１フィールド分の映像信号を平均処理したものを擬似信号として発生する。
【００５９】
即ち、信号変換回路３が、或るフィールドの立体映像信号の直前の１フィールド分の立体映像信号を記憶するフィールドメモリ３３１，３３２と、１フィールド前の立体映像信号の平均処理を施す平均値取得回路３４１，３４２とを有し、平均処理を施した信号を擬似信号Ｄとして発生させ、各該フィールドの立体映像信号の走査線の間の走査線に一定の信号値（黒レベルを除く）の擬似信号Ｄを挿入し、プログレッシブ方式の映像信号ＯＲＬを生成する。
【００６０】
実施例５の信号処理装置１によれば、フィールドスイッチング方式の立体映像信号からちらつきの少ない鮮明な立体映像を、より効果的にプログレッシブ方式の平面映像表示装置に表示することができるようになる。
【００６１】
このように構成しても、実施例５の信号処理装置１によれば、フィールドスイッチング方式の立体映像信号からちらつきの少ない鮮明な立体映像を、より効果的にプログレッシブ方式の平面映像表示装置に表示することができるようになる。
【００６２】
上述した実施例で説明したように、偏光メガネ方式による立体映像表示にあたり、インターレース方式のフィールドスイッチング方式の立体映像を左眼用は奇数（偶数）フィールドに、右眼用は偶数（奇数）フィールドの映像を、インターレース方式の信号をプログレッシブ方式に変換する時点で左眼用は奇数（偶数）走査線に、右眼用は偶数（奇数）走査線にちらつき抑制用の疑似映像データを挿入し、平面映像表示装置等の表示画面上で鮮明さを損なわずに表示できるようになる。
【００６３】
上述した実施例において、代表的な例として本発明を説明したが、本発明の趣旨及び範囲内で、多くの変更及び置換することができることは当業者に明らかである。例えば、本発明は、信号処理方法としても特徴づけることができるし、信号処理装置として構成するコンピュータに各手段及び機能を実行又は実現するためのプログラムとしても特徴付けられる。さらに、各実施例の信号処理装置を組み合わせて別の態様の信号処理装置を実現することもできる。従って、本発明は、上述の説明によって制限するものと解するべきではなく、特許請求の範囲によってのみ制限される。
【産業上の利用可能性】
【００６４】
現在、ＣＲＴ表示装置が市場から消え、一方それに代わって平面映像表示装置等が市場を独占している。その中において通常用いる立体映像表示装置は、平面映像表示装置を使っていわゆる走査線ごとに右眼用及び左眼用の偏光フィルタを貼付した３Ｄ平面映像表示装置が市場の主流となりつつある。本発明によれば、このような３Ｄ平面映像表示装置で従来のコンテンツの再利用が可能となるととともに、簡便な立体映像を必要とする産業に有用である。
【図面の簡単な説明】
【００６５】
【図１】従来技術に基づいて構成される信号処理装置を備える立体映像表示システムのブロック図である。
【図２】従来技術に基づいて構成される信号処理装置を備える立体映像表示システムの動作を示す図である。
【図３】従来技術に基づいて構成される信号処理装置を備える立体映像表示システムの動作を示す図である。
【図４】従来技術に基づいて構成される信号処理装置を備える立体映像表示システムの動作を示す図である。
【図５】本発明による実施例１の信号処理装置１を備える立体映像表示システムのブロック図である。
【図６】本発明による実施例１の信号処理装置１を備える立体映像表示システムの動作を示す図である。
【図７】本発明による実施例１の信号処理装置１を備える立体映像表示システムの動作を示す図である。
【図８】本発明による実施例１の信号処理装置１を備える立体映像表示システムの動作を示す図である。
【図９】本発明による実施例１の信号処理装置１における信号変換回路のブロック図である。
【図１０】本発明による実施例２の信号処理装置１における信号変換回路のブロック図である。
【図１１】本発明による実施例３の信号処理装置１における信号変換回路のブロック図である。
【図１２】本発明による実施例４の信号処理装置１における信号変換回路のブロック図である。
【図１３】本発明による実施例５の信号処理装置１における信号変換回路のブロック図である。
【符号の説明】
【００６６】
１  信号処理装置
２Ｌ  左眼用フィールド信号処理回路
２Ｒ  右眼用フィールド信号処理回路
３  信号変換回路
７  平面映像表示装置
３１  擬似信号発生回路
３２ＣＬ  タイミング制御回路
３２Ｌ，３２Ｒ, ３２ＲＬ, ３２Ｌ２，３２Ｒ２  スイッチ
３２ＳＨ  擬似信号選択用スイッチ
１０１  立体映像表示システム
１０２  立体カメラ装置
１０３  再生装置
１０４  スイッチ
１０５  フィールドスイッチング切替装置
１０６  シャッタメガネ駆動回路
１０７  ＣＲＴディスプレイ
１２１Ｒ  右眼用カメラ
１２１Ｌ  左眼用カメラ
１２２  フィールドスイッチングデバイス
１１３  録画デバイス
３１１  白映像信号発生回路
３１２  配分回路
３１３  黒映像信号発生回路
３２１，３２２  サンプルホールド回路
３３１，３３２  フィールドメモリ
３４１，３４２  平均値取得回路
３５１，３５２  ラインメモリ
３６１，３６２  平均値取得回路
【図１】
2010087720.tif 000003
【図２】
2010087720.tif 000004
【図３】
2010087720.tif 000005
【図４】
2010087720.tif 000006
【図５】
2010087720.tif 000007
【図６】
2010087720.tif 000008
【図７】
2010087720.tif 000009
【図８】
2010087720.tif 000010
【図９】
2010087720.tif 000011
【図１０】
2010087720.tif 000012
【図１１】
2010087720.tif 000013
【図１２】
2010087720.tif 000014
【図１３】
2010087720.tif 000015